(57)【特許請求の範囲】
【請求項１】
文字等のデータ通信を行う無線通信機において、
操作部により前記文字等のデータを発信するために通信相手の番号を無線部を介して無線回線に送出し通信相手を呼び出しするとともに、該通信相手と接続されると前記文字等のデータを通信相手に受信させ、その後前記呼び出しに基づくリングバックトーン信号を検出すると制御手段により自動的に前記通信相手との接続を切断することを特徴とする無線通信機。
【請求項２】
トーンを検出する検出手段を設け、前記制御手段は、前記呼び出しに対する交換機からのリングバックトーン信号を前記検出手段が検出すると前記データを前記通信相手が受信したとして自動的に前記通信相手との接続を切断することを特徴とする請求項１記載の無線通信機。
【請求項３】
前記通信相手と接続されデータを送信できた旨を表示・通知する報知手段を備えたことを特徴とする請求項１記載の無線通信機。
【発明の詳細な説明】
【０００１】
【発明の属する技術分野】
本発明は、交換機からのリングバックトーン信号を表示や振動で知らせる機能を備えた無線通信機に関する。
【０００２】
【従来の技術】
無線電話機で通信したい相手に電話をかける場合、発呼側が着信側の電話番号をダイヤルする。交換機側において発呼要求が受け付けられると交換機は電話番号に対応する回線へ接続する。そして、着信側が呼び出し可能ならば相手を呼び出し発呼側にリングバックトーンを送出する。
【０００３】
ここで、従来の無線通信機のリングバックトーンの処理を図３のブロック図を参照して説明する。図３を参照すると、従来の無線通信機は、基地局又は通信相手との無線信号の送受信を行うためのアンテナ１と、無線信号の処理を行う無線部２と、送受信信号の音声処理を行う音声変換回路３と、ダイヤル番号の入力等を行うキー入力部４と、液晶画面表示を行うＬＣＤ５と、電話番号等の情報を記憶する記憶装置６と、着信等を光で使用者に知らせる発光ダイオード７と、振動で着信を知らせるバイブレータ８と、スピーカ９と、マイク１０と、無線通信機全体の制御を司る制御部１１から構成されている。
【０００４】
上記構成から従来の無線通信機において、発呼側に送信された交換機側からのリングバックトーン信号はアンテナ１、無線部２、音声変換回路３を介して受信され、スピーカ９にて音で鳴らし発呼者に知らしめる。
【０００５】
【発明が解決しようとする課題】
しかしながら、上記従来の無線通信機では着信者と会話をするときには手元でダイヤルを確認しながらキー入力を行い発信をするとスピーカを耳元にあてて着信者のリングバックトーンを聞いていてもあまり差し支えはないが、近年無線通信機の技術が発達し、着信者と無線回線を介して会話をするだけでなく文字等のデータ通信を行うことが出来るようになった。このデータ通信は電話で会話をするのには好まれない場所でも着信者にメッセージを送ることが出来る。しかし、このデータ通信は発呼側が送信したデータを着信側が受信すると、着信側の方から着信した合図を交換機を介して発呼側のスピーカ９でもって音で発呼者に知らせている。その為、発呼者はその着信側が送る合図音を聞くために耳元にスピーカ９をあてなければならず、その仕草はあたかも会話をするために電話をかけているようにもとれ、電話をかけることを好まれない場所ならば誤解され、周囲の人に不快感を与えてしまう恐れがあった。
【０００６】
又、データ通信にも着信側が受信したという合図を発呼側に送らないものもある。この場合発呼側は着信側と回線が接続されれば良いだけなので、着信側からのリングバックトーンを確認するだけでデータが送信できたことを知ることが出来、リングバックトーンを聞くためだけにスピーカ９を耳元に持っていく動作が煩わしいという問題があった。
【０００７】
【課題を解決するための手段】
よって上記課題を解決するために本発明の無線通信機は、文字等のデータ通信を行う無線通信機において、操作部により前記文字等のデータを発信するために通信相手の番号を無線部を介して無線回線に送出し通信相手を呼び出しするとともに、該通信相手と接続されると前記文字等のデータを通信相手に受信させ、その後前記呼び出しに基づくリングバックトーン信号を検出すると制御手段により自動的に前記通信相手との接続を切断することを特徴とする。
【０００８】
また、請求項２記載の発明は、トーンを検出する検出手段を設け、前記制御手段は、前記呼び出しに対する交換機からのリングバックトーン信号を前記検出手段が検出すると前記データを前記通信相手が受信したとして自動的に前記通信相手との接続を切断することを特徴とする。
【０００９】
また、請求項３記載の発明は、前記通信相手と接続されデータを送信できた旨を表示・通知する報知手段を備えたことを特徴とする。
【００１０】
【発明の実施の形態】
以下、この発明を一実施例の図を用いて説明する。
図１は、本発明の実施の形態の一つである無線通信機のブロック図を示したものである。図１に示したこの無線通信機は、図３に示したと同じ基地局との無線信号の送受信を行うためのアンテナ１と、無線信号の処理を行う無線部２と、送受信信号の音声処理を行う音声変換回路３と、ダイヤル番号の入力等を行うキー入力部４と、液晶画面表示を行うＬＣＤ５と、電話番号等の情報を記憶する記憶装置６と、着信等を光で使用者に知らせる発光ダイオード７と、振動で着信を知らせるバイブレータ８と、スピーカ９と、マイク１０と、無線通信機全体の制御を司る制御部１１から構成され、更にトーンを検出するトーン検出部１２を新たに備えている。
【００１１】
この無線通信機は、キー入力部４で入力される電話番号をＬＣＤ５の表示と確認しながら無線部２とアンテナ１を介して交換機に送信する。交換機は電話番号に対応する着信側に発呼要求をして、着信側が回線接続すれば発呼側にリングバックトーン信号を返す。発呼側の無線通信機において着信側のリングバックトーン信号をアンテナ１、無線部２、音声変換回路３、トーン検出部１２を介して受信すると、トーン検出部１２は制御部１１にその旨の信号を送る。トーン検出部１２からの信号を受け取った制御部１１は、発光ダイオード７を点灯させたり、ＬＣＤ５でその旨を表示したり、又はバイブレータ８を振動させて発呼者に着信側からリングバックトーン信号を受信したことを知らしめる。
【００１２】
次に、図２は本実施例の動作を示すフローチャートである。特にデータを送信する場合を示し、且つ着信側からデータを受け取ったという合図音がないものを例とする。
【００１３】
先ず、無線通信機の発呼側がデータの発信をしようとして着信側の電話番号をダイヤルすると（２０１）、交換機との遣り取りが行われた後着信側が接続可能ならば着信側との接続を行う（２０２）。
【００１４】
そして、接続が完了するとともに、発呼側が送信したデータが着信側に受信され（２０３）記憶される。その後着信側を呼び出す呼び出し音がリングバックトーンとして発呼側に返信されこのリングバックトーンを検出すると（２０４）、発呼側の発光ダイオードやＬＣＤやバイブレータを用いて発呼者に着信側と回線が接続されデータを送信できたその旨を表示・通知する（２０５）。
【００１５】
そこで、発呼者が着信側との回線を切断すれば（２０６）、この一連の動作は完了する。また、発呼者が着信側との回線を切断しなければ、繰り返し送信されてくるリングバックトーンに対してステップ２０４から２０６を繰り返し行う。更に、ステップ２０４においてリングバックトーンが検出できなければ、上記の様なステップ２０５における表示・通知は行わない。
【００１６】
また、リングバックトーンを一度受信するだけで着信側との回線を切断してもよい場合に限りトーン検出部１２において着信側のリングバックトーン信号を検出すると制御部１１で自動的に着信側との回線を切断する様に設定することも出来る。
【００１７】
【発明の効果】
上記構成により本発明を用いることによって、通信相手に回線が接続出来ればデータを送信できる現在の無線通信機のような場合に、相手先をダイヤルした後、無線通信機のスピーカを耳元にあてなくても、相手のリングバックトーンを振動や視覚で確認することが出来るので、通信相手との回線が接続出来たことを手元で知ることが出来且つ手元に持ったままでデータの送信が行えるという効果がある。
【図面の簡単な説明】
【図１】本発明の実施の形態の１つである無線通信機のブロック図
【図２】本実施例の動作を示すフローチャート
【図３】従来の無線通信機のブロック図
【符号の説明】
１：アンテナ  ２：無線部  ３：音声変換回路  ４：キー入力部  ５：ＬＣＤ
６：記憶装置  ７：発光ダイオード  ８：バイブレータ  ９：スピーカ
１０：マイク  １１：制御部  １２：トーン検出部
【図１】
0003748329.tif 000002
【図２】
0003748329.tif 000003
【図３】
0003748329.tif 000004